(57)【要約】【課題】ケース厚さの異なる複数種類のディスク状媒体ケースにディスク状媒体を同一の自動組立機で組み込むことのできるディスク状媒体ケースの組立方法を提供する。【解決手段】このディスク状媒体ケースの組立方法は、ディスク状媒体Ｃを収容可能なケース本体１１と、ケース本体に対し回動し開閉可能な蓋体１２と、を備えかつケース厚さの異なる複数種類のディスク状媒体ケースを搬送しながら自動組立機５０により組み立てる際に、蓋体を開きケース本体とともに、自動組立機に配置された一対の壁部５１，５２間に延びるように展開し、ケース本体内にディスク状媒体Ｃを収容し、蓋体を閉じ、複数種類のディスク状媒体ケースは展開した全長Ｌが実質的に同一に構成され、展開全長に基づいて一対の壁部の間隔が決められている。【選択図】  図５
2005035551.tif 000002
【特許請求の範囲】
【請求項１】
ディスク状媒体を収容可能なケース本体と、前記ケース本体に対し回動し開閉可能な蓋体と、を備えかつケース厚さの異なる複数種類のディスク状媒体ケースを搬送しながら自動組立機により実行されるディスク状媒体ケースの組立方法であって、
前記蓋体を開き前記ケース本体とともに、前記自動組立機に配置された一対の壁部の間に延びるように展開する工程と、前記ケース本体内に前記ディスク状媒体を収容する工程と、前記蓋体を閉じる工程と、を含み、
前記複数種類のディスク状媒体ケースは前記展開した全長が実質的に同一に構成され、前記展開全長に基づいて前記一対の壁部の間隔が決められていることを特徴とするディスク状媒体ケースの組立方法。
【請求項２】
前記各ディスク状媒体ケースは、前記ケース本体と前記蓋体とを連結する連結側壁を有し、前記連結側壁の両端で前記蓋体が前記ケース本体に対し回動可能であるとともに、前記連結側壁の幅が前記ケース厚さに応じて異なることを特徴とする請求項１に記載のディスク状媒体ケースの組立方法。
【請求項３】
前記ケース本体は、前記ディスク状媒体の中心孔と嵌合する嵌合部と、前記連結側壁に前記嵌合部を挟んで対向する側端部と、を有し、
前記ケース本体の前記嵌合部の中心から前記側端部までの最短距離が前記複数種類のディスク状媒体ケースにおいてほぼ同一に構成されていることを特徴とする請求項２に記載のディスク状媒体ケースの組立方法。
【発明の詳細な説明】
【０００１】
【発明の属する技術分野】
本発明は、光ディスク等のディスク状媒体をケースに組み込む組立方法に関するものである。
【０００２】
【従来の技術】
従来、ＣＤやＤＶＤ等の光ディスクはディスクケース内に収納されて保存されるが、このディスクケースは、例えば、ケース本体と、このケース本体に対し回動可能に設けられた蓋体と、を備え、ケース本体に光ディスクの中心孔に嵌合する嵌合部が形成されている。
【０００３】
このようなディスクケースへの光ディスクのパッケージングは自動組立機により次のような工程で行われる。即ち、（１）ケース本体に対し蓋体を開き、（２）ケース本体に光ディスクを装填し、（３）蓋体の内側にインデックスシートを挿入し、次に、蓋体を閉じてから、フィルムの包装工程に搬送する。
【０００４】
上述のように光ディスクをパッケージするディスクケースには、１枚の光ディスクを収容するタイプ、光ディスクの中心孔に嵌合する嵌合部を備えたトレイをケース本体に装填するタイプ、２枚の光ディスクを収容するタイプ等の複数種類があり、各タイプにおいてディスクケースの厚みが異なるので、ケース本体に対し蓋体を開きディスクケースを展開したときのディスクケースの全長は厚さの異なる各タイプで異なってしまう。
【０００５】
上記工程（１）〜（３）を実行する自動組立機では、開かれたディスクケースの両側面をガイドするように一対の壁部が所定間隔で並んでいるが、ディスクケースの全長が各タイプで異なるので、各タイプに応じて自動組立機における一対の壁部の間隔を変更する必要があるが、かかる変更は、通常大幅な装置の改造が必要であり、元に戻すことも大変な手間がかかり、現実的ではないので、別の自動組立機が必要となってしまう。その結果、自動組立機の設備費や設置スペースが必要となってしまい、生産コストの上昇につながってしまう。
【０００６】
【発明が解決しようとする課題】
本発明は、ケース厚さの異なる複数種類のディスク状媒体ケースにディスク状媒体を同一の自動組立機で組み込むことのできるディスク状媒体ケースの組立方法を提供することを目的とする。
【０００７】
【課題を解決するための手段】
上記目的を達成するために、本発明によるディスク状媒体ケースの組立方法は、ディスク状媒体を収容可能なケース本体と、前記ケース本体に対し回動し開閉可能な蓋体と、を備えかつケース厚さの異なる複数種類のディスク状媒体ケースを搬送しながら自動組立機により実行されるディスク状媒体ケースの組立方法であって、前記蓋体を開き前記ケース本体とともに、前記自動組立機に配置された一対の壁部の間に延びるように展開する工程と、前記ケース本体内に前記ディスク状媒体を収容する工程と、前記蓋体を閉じる工程と、を含み、前記複数種類のディスク状媒体ケースは前記展開した全長が実質的に同一に構成され、前記展開全長に基づいて前記一対の壁部の間隔が決められていることを特徴とする。
【０００８】
このディスク状媒体ケースの組立方法によれば、ケース厚さの異なる複数種類のディスク状媒体ケースは各展開全長が各ケース厚さの相違に関わらず同一に構成され、その展開全長に自動組立機の一対の壁部の間隔が対応するので、同一の自動組立機により壁部間隔の変更のための改造等を必要とせずにケース厚さの異なる各ディスク状媒体ケースにディスク状媒体を組み込むことができる。
【０００９】
上記ディスク状媒体ケースの組立方法において、前記各ディスク状媒体ケースは、前記ケース本体と前記蓋体とを連結する連結側壁を有し、前記連結側壁の両端で前記蓋体が前記ケース本体に対し回動可能であるとともに、前記連結側壁の幅が前記ケース厚さに応じて異なるように構成できる。
【００１０】
また、前記ケース本体は、前記ディスク状媒体の中心孔と嵌合する嵌合部と、前記連結側壁に前記嵌合部を挟んで対向する側端部と、を有し、前記ケース本体の前記嵌合部の中心から前記側端部までの最短距離が前記複数種類のディスク状媒体ケースにおいてほぼ同一に構成されていることにより、ディスク状媒体ケースを自動組立機の一対の壁部の間で展開したとき、ケース本体の側端部が壁部の一方に沿うので、ディスク状媒体ケースの厚さに関わらず、壁部の一方からケース本体の嵌合部の中心までの最短距離がほぼ同一になる。このため、自動組立機による組み立て工程で厚さの異なるディスク状媒体ケースに変更しても、ディスク状媒体等を組み込むための自動組立機のアーム等の位置調整が不要となり、生産性が低下しない。
【００１１】
なお、上記組立方法において、前記蓋体にインデックスシートを挿入する工程を前記ディスク状媒体の収容工程の前または後に実行することができる。また、前記ディスク状媒体はその中心孔がケース本体の嵌合部に嵌合するようにしてケース本体に収容される。
【００１２】
また、ディスク状媒体の中心孔が嵌合する嵌合部を有するトレー部を別部材として組み込むディスク状媒体ケースでは、前記ケース本体にバックシートを挿入する工程と、前記トレー部を前記ケース本体に組み込む工程と、前記ディスク状媒体を前記ケース本体内のトレー部に収容する工程と、を前記展開工程の後に実行するようにできる。
【００１３】
【発明の実施の形態】
以下、本発明による実施の形態について図面を用いて説明する。
【００１４】
まず、本実施形態の組立方法を適用可能な複数種類の第１乃至第３ディスクケースについて説明する。図１は本実施形態の組立方法を適用可能な第１ディスクケースの展開平面図（ａ）及び閉じたときの右側面図（ｂ）である。図２は図１（ａ）の第１ディスクケースを展開した状態で方向Ａから見た下側面図（ａ）及び閉じた状態で見た下側面図（ｂ）である。
【００１５】
図３は図２の第１ディスクケースよりもケース厚さが厚い第２ディスクケースを展開した状態で示す下側面図（ａ）及び閉じた状態で示す下側面図（ｂ）である。
【００１６】
図４は図３の第２ディスクケースよりもケース厚さが厚い第３ディスクケースを展開した状態で示す下側面図（ａ）及び閉じた状態で示す下側面図（ｂ）である。
【００１７】
図１（ａ）に示すように、第１ディスクケース１は、２点鎖線で示す光ディスクＣを収容可能な矩形平板状に構成されたケース本体１１と、ケース本体１１に対し回動しケース本体１１を開閉する矩形平板状に構成された蓋体１２と、ケース本体１１と蓋体１２とを連結する細長い形状の連結側壁１３と、を有する。
【００１８】
なお、第１ディスクケース１は各種樹脂材料から射出成形により製造することができるが、樹脂材料としてはＰＰ（ポリプロピレン）等のヒンジ性のよいものが好ましい。また、収容可能な光ディスクＣは、各種のＣＤ、ＤＶＤやブルーレイ光ディスク等の各種のディスク状媒体であってよい。
【００１９】
図１、図２のように、ケース本体１１は、光ディスクＣの中心孔が嵌合する嵌合部１５がその内面に形成され、側壁１６がその周囲に形成されている。また、蓋体１２は、側壁１７がその周囲に形成され、側壁１７の内側からインデックスシートを保持するための複数の保持突起１９ａ、１９ｂ、１９ｃ、１９ｄが突き出るようにして形成されている。なお、嵌合部１５は後述の図８（ｂ）のトレー部４１の嵌合部４２のようにケース本体１１の内面から全体として円筒状に短く突き出ている。
【００２０】
連結側壁１３は、図１（ａ）、図２（ａ）のように、ケース本体１１と蓋体１２との間に細長形状に形成され、ケース本体１１との間に線状の切り欠き部１３ａと、蓋体１２との間に線状の切り欠き部１３ｂとが形成され、切り欠き部１３ａ、１３ｂによりヒンジ部を構成している。ケース本体１１と蓋体１２とは連結側壁１３の両端における切り欠き部１３ａ、１３ｂにおいて相対的に回動することができる。
【００２１】
また、図１（ａ）のように、連結側壁１３の図の上下端にはインデックスシートの折り曲げ部Ｓ１（図７）を保持するインデックスシート保持片１４ａ、１４ｂが形成されている。保持片１４ａ、１４ｂは、図１（ａ）、図２（ａ）のように、連結側壁１３から直立してから折れ曲がり連結側壁１３に対向するように突き出ている。
【００２２】
第１ディスクケース１を図１（ａ）、図２（ａ）の展開状態からケース本体１１に対し蓋体１２を切り欠き部１３ａ、１３ｂで回動させることでケース本体１１を蓋体１２で閉じると、図１（ｂ）、図２（ｂ）のように、ケース本体１１の側壁１６が蓋体１２の側壁１７の内側に入り込むようにして位置する。このとき、蓋体１２の側壁１７の突き出し部１７ａがケース本体１１の側壁１６の凹部１６ａに嵌り込んで係止される。
【００２３】
また、第２ディスクケース２は、図１（ａ）、（ｂ）の第１ディスクケース１と基本的に同様に構成され、図３（ａ）、（ｂ）のように、ケース本体１１と蓋体１２とを連結する連結側壁２３の幅が第１ディスクケース１の連結側壁１３よりも広い点が異なる。
【００２４】
また、第３ディスクケース３は、図１（ａ）、（ｂ）の第１ディスクケース１と基本的に同様に構成され、図４（ａ）、（ｂ）のように、ケース本体１１と蓋体１２とを連結する連結側壁３３の幅が第２ディスクケース１の連結側壁２３よりも広い点が異なる。第３ディスクケース３は、後述の図８（ｂ）のようにトレー部４１が別部材としてケース本体１１に装着されるので、連結側壁３３が幅広に構成され、図１（ａ）の嵌合部１５は省略されている。
【００２５】
以上の第１、第２及び第３ディスクケース１，２，３において、図２（ｂ）、図３（ｂ）、図４（ｂ）のように、閉じた状態のケース厚さｔ１，ｔ２，ｔ３は、ｔ１＜ｔ２＜ｔ３であり、第１ディスクケース１が最も薄く、第３ディスクケース３が最も厚いが、図２（ａ）、図３（ａ）、図４（ａ）のように、蓋体１２を開き、ケース本体１１とともに展開状態にしたときの各ディスクケースの展開全長Ｌは、第１、第２及び第３ディスクケース１，２，３ともに同一となるように構成されている。
【００２６】
即ち、第１、第２及び第３ディスクケース１，２，３では、ケース厚さがｔ１，ｔ２，ｔ３と厚くなるにつれて、図２（ａ）、図３（ａ）、図４（ａ）のように、ケース本体１１と蓋体１２の長さ（図の横方向の長さ）をその厚さ増加分だけ減少させている。
【００２７】
また、図１のようにケース本体１１の光ディスクＣの中心孔と嵌合する嵌合部１５の中心ｐと、連結側壁１３に嵌合部１５を挟んで対向する側壁１６の側端部１６ｂとの最短距離Ｌ１は、図２〜図４のように、第１、第２及び第３ディスクケース１，２，３において同一に構成されている。
【００２８】
以上のような複数種類のディスクケース１，２，３内に光ディスクを組み込む自動組立機について図５，図６，図７を参照して説明する。図５は図１〜図４の各ディスクケース内に光ディスクを組み込む自動組立機の平面図である。図６は図５の自動組立装置のＶＩ−ＶＩ線方向に切断して見た図である。図７は図１〜図４の各ディスクケースに挿入されるインデックスシートの斜視図である。
【００２９】
図５，図６の自動組立機５０は、ディスクケース１が閉じられた状態で搬送方向Ｈに搬送される上流側の幅狭の搬送路５３と、ディスクケース１が開かれ展開された状態で搬送方向Ｈに搬送される幅広の搬送路５４と、ディスクケース１内に光ディスク等を収容した後にディスクケース１が閉じられて搬送方向Ｈに搬送される下流側の搬送路５５と、搬送路５４の搬送方向Ｈに沿って設けられた一対の壁部５１、５２と、を備える。
【００３０】
自動組立機５０は、搬送路５４に開かれた状態で位置するディスクケース１のケース本体１１に光ディスクＣを装着するように回動軸５６ａを中心に回動し上下動するアーム５６と、アーム５６の下流側に配置され図７のインデックスシートＳを蓋体１２の内面側に自動的に挿入し装着する装着部５７と、を搬送路５４の外側に備える。
【００３１】
搬送路５４における一対の壁部５１、５２は、その間隔Ｗがディスクケース１の展開全長Ｌに対応して設定されており、ディスクケース１を展開した状態で搬送方向Ｈにガイドしながら搬送し、また、アーム５６による光ディスクＣの装着位置及び装着部５７によるインデックスシートＳの挿入位置においてディスクケース１を全長方向において位置決めする。
【００３２】
図５，図６の自動組立機５０による組み立て工程について説明する。まず、搬送路５３に閉じられた状態のディスクケース１が投入され、搬送方向Ｈに搬送され、幅広の搬送路５４で蓋体１２を回動し開き、蓋体１２とケース本体１１とが搬送路５４において図６のように一対の壁部５１，５２間に延びるようにして展開状態とされる。なお、この蓋体１２の開き工程は吸引機構を備えたアーム（図示省略）により行うことができる。
【００３３】
次に、展開状態のディスクケース１は更に搬送され、図５の装着位置でアーム５６が回動方向Ｒに回動し、光ディスクＣをケース本体１１に対し移動させ、光ディスクＣの中心孔をケース本体１１の嵌合部１５に嵌合させる。
【００３４】
次に、ディスクケース１は更に搬送され、図５の挿入位置で装着部５７がインデックスシートＳを保持し方向Ｔに移動し、蓋体１２の内面側に自動的に挿入し装着する。このとき、図７のインデックスシートＳは蓋体１２の内面の複数の保持突起１９ａ〜１９ｄで保持されるとともに、折り曲げ部Ｓ１は連結側壁１３に位置しインデックスシート保持片１４ａ、１４ｂにより保持される。
【００３５】
次に、ディスクケース１は更に搬送され、図５のインデックスシートＳの挿入位置の下流側で、蓋体１２を回動させ、蓋体１４でケース本体１１を閉じる。なお、この蓋体１２の閉じ工程は吸引機構を備えたアーム（図示省略）により行うことができる。
【００３６】
次に、閉じられたディスクケース１は幅狭の搬送路５５で搬送方向Ｈに搬送され、ディスクケース１の外面をフィルム包装する包装工程へと送られる。
【００３７】
上述のようにして、図５，図６の自動組立機５０により、ディスクケース１に光ディスクＣを収容し、インデックスシートＳを装着することができるが、この場合、自動組立機５０の搬送路５３に、図２（ａ）、（ｂ）のケース厚さｔ１の第１ディスクケース１の代わりに、図３（ａ）、（ｂ）のケース厚さｔ２（ｔ２＞ｔ１）の第２ディスクケース２，または、図４（ａ）、（ｂ）のケース厚さｔ３（ｔ３＞ｔ２）の第３ディスクケース３が投入されて搬送路５４へと搬送されても、これらの第１及び第２ディスクケース２、３の展開全長Ｌは、第１ディスクケース１と同一であるので、搬送路５４の一対の壁部５１，５２間において展開状態のディスクケース２または３をガイドしながら搬送でき各位置で各工程（蓋体１２の開き工程、アーム５６による光ディスクＣの装着工程、装着部５７によるインデックスシートＳの挿入工程及び蓋体の閉じ工程）をそれぞれ実行できる。
【００３８】
以上のように、ケース厚さの異なる複数種類のディスクケース１，２，３はその展開全長Ｌが全て等しく、自動組立機５０でディスクケース１，２，３のどれでも組み立てることができるので、壁部５１，５２の間隔をディスクケースに合わせて変更する必要がなく、壁部５１，５２の間隔変更のための自動組立機５０の改造等が必要ない。また、各ディスクケース毎に自動組立機を用意する必要がないので、自動組立機の設備費や設置スペースが必要なく、生産コストを抑えることができる。
【００３９】
次に、図５，図６の自動組立機５０においてケース厚さの厚い第３ディスクケース３を組み立てる工程について図８を参照して説明する。図８（ａ）は第３ディスクケース３のケース本体の内面側に挿入されて装着されるバックシートの斜視図であり、図８（ｂ）は第３ディスクケース３のケース本体の内面側に装着されるトレー部の斜視図である。
【００４０】
第３ディスクケース３を組み立てるとき、上述の蓋体１２の開き工程の後に、図８（ａ）のバックシートＳを第３ディスクケース３のケース本体１１の内面側に挿入されて装着される。この装着工程は、上述の装着部５７と同様の構成で行うことができる。
【００４１】
次に、図８（ｂ）のトレー部４１がケース本体１１に装着される。この装着工程は上述のアーム５６と同様の構成で行うことができる。そして、上述のように、アーム５６によりケース本体１１に装着されたトレー部４１の嵌合部４２に光ディスクＣが嵌合される。以降は、上記と同様の工程を経ることで、第３ディスクケース３を組み立てることができる。
【００４２】
また、図５において、各ディスクケース１〜３を一対の壁部５１，５２の間で展開したとき、ケース本体１１の側端部１６ｂが壁部５１に沿うので、各ディスクケース１〜３の厚さに関わらず、壁部５１からケース本体１１の嵌合部１５の中心ｐまでの最短距離Ｌ１が同一になり、このため、自動組立機による組み立て工程で厚さの異なるディスクケースに変更しても、図５のアーム５６の位置調整が不要となり、位置調整の手間がかからず、生産性が低下しない。
【００４３】
なお、閉じられた状態の各ディスクケース１，２，３は、上述のようにその開き方向の長さが若干相違するが、図５の搬送路５３，５５では単に搬送されるだけであるので、搬送路５３，５５の間隔を最も長い寸法に合わせても組み立てに支障が生じることはない。
【００４４】
以上のように本発明を実施の形態により説明したが、本発明はこれらに限定されるものではなく、本発明の技術的思想の範囲内で各種の変形が可能である。例えば、ディスクケースの厚さは、展開全長を同一として更に他段階に変えてもよいことは勿論である。
【００４５】
【発明の効果】
本発明のディスク状媒体ケースの組立方法によれば、ケース厚さの異なる複数種類のディスク状媒体ケースにディスク状媒体を同一の自動組立機で組み込むことができる。
【図面の簡単な説明】
【図１】本実施形態の組立方法を適用可能な第１ディスクケースの展開平面図（ａ）及び閉じたときの右側面図（ｂ）である。
【図２】図１（ａ）の第１ディスクケースを展開した状態で方向Ａから見た下側面図（ａ）及び閉じた状態で見た下側面図（ｂ）である。
【図３】図２の第１ディスクケースよりもケース厚さが厚い第２ディスクケースを展開した状態で示す下側面図（ａ）及び閉じた状態で示す下側面図（ｂ）である。
【図４】図３の第２ディスクケースよりもケース厚さが厚い第３ディスクケースを展開した状態で示す下側面図（ａ）及び閉じた状態で示す下側面図（ｂ）である。
【図５】図１〜図４の各ディスクケース内に光ディスクを組み込む自動組立機の平面図である。
【図６】図５の自動組立装置のＶＩ−ＶＩ線方向に切断して見た図である。
【図７】図１〜図４の各ディスクケースに挿入されるインデックスシートの斜視図である。
【図８】第３ディスクケース３のケース本体の内面側に挿入されて装着されるバックシートの斜視図（ａ）及び第３ディスクケース３のケース本体の内面側に装着されるトレー部の斜視図（ｂ）である。
【符号の説明】
１・・・第１ディスクケース（ディスク状媒体ケース）
２・・・第２ディスクケース（ディスク状媒体ケース）
３・・・第３ディスクケース（ディスク状媒体ケース）
１１・・ケース本体
１２・・蓋体
１３，２３，３３・・・連結側壁
１３ａ、１３ｂ・・・切り欠き部
１５・・・嵌合部
１６ｂ・・・側端部
４１・・・トレー部
５０・・・自動組立機
５１，５２・・・一対の壁部
Ｌ・・・各ディスクケースの展開全長
Ｌ１・・・嵌合部１５の中心ｐと側壁１６の側端部１６ｂとの最短距離
Ｗ・・・一対の側壁間の間隔
ｔ１・・・第１ディスクケースの厚さ
ｔ２・・・第２ディスクケースの厚さ
ｔ３・・・第３ディスクケースの厚さ
ｐ・・・嵌合部１５の中心
【図１】
2005035551.tif 000003
【図２】
2005035551.tif 000004
【図３】
2005035551.tif 000005
【図４】
2005035551.tif 000006
【図５】
2005035551.tif 000007
【図６】
2005035551.tif 000008
【図７】
2005035551.tif 000009
【図８】
2005035551.tif 000010